(57)【要約】【課題】第１の透明板における第１の読取面と第２の透明板における第２の読取面とで読取高さが異なっていても、画像読取部で光量が不足したり焦点が合わなかったりといった光学性能を損なうことなく、良好に原稿画像を読み取ることができる構造簡単な画像読取装置及びそれを備えた画像形成装置を提供する。【解決手段】画像読取装置１００は、読取位置Ｖ１に位置する走査体２１０と第１の読取面２０６ａとの間の第１の距離Ｓ１と、読取領域Ｖ２に位置する走査体２１０と第２の読取面２０７ａとの間の第２の距離Ｓ２とを維持するように走査体２１０を案内するガイド部材４００と、走査体２１０を副走査方向Ｙに摺動自在に支持する支持部材５４０とを備え、走査体２１０は、支持部材５４０に摺動される変位摺動部５４１を有しており、変位摺動部５４１は、読取高さ方向Ｚへの走査体２１０の変位分の移動を許容する。【選択図】図４
2011135186.tif 000002
【特許請求の範囲】
【請求項１】
第１の透明板上を通過するように副走査方向に搬送される原稿を読取位置に位置する走査体にて該第１の透明板を介して主走査方向に走査して画像読取部で読み取る原稿移動読取モードを実行する構成と、
前記走査体を前記副走査方向に移動させつつ第２の透明板上に載置された原稿を読取領域で該第２の透明板を介して前記主走査方向に走査して前記画像読取部で読み取る原稿固定読取モードを実行する構成と
を有する画像読取装置であって、
前記第１の透明板における第１の読取面と前記第２の透明板における第２の読取面とで前記主走査方向及び前記副走査方向に直交する読取高さ方向の読取高さが異なっており、
前記読取位置に位置する前記走査体と前記第１の読取面との間の第１の距離、及び前記読取領域に位置する前記走査体と前記第２の読取面との間の第２の距離を維持するように前記走査体を案内するガイド部材と、
前記走査体を前記副走査方向に摺動自在に支持する支持部材とを備え、
前記走査体は、前記支持部材に摺動される変位摺動部を有しており、
前記変位摺動部は、前記ガイド部材による前記読取高さ方向への前記走査体の変位分の移動を許容する構成とされていることを特徴とする画像読取装置。
【請求項２】
請求項１に記載の画像読取装置であって、
前記支持部材は、前記副走査方向に延びる軸部材とされており、
前記変位摺動部には、前記支持部材を挿通する長穴形状の貫通穴が設けられていることを特徴とする画像読取装置。
【請求項３】
請求項１に記載の画像読取装置であって、
前記支持部材は、前記副走査方向に延びる軸部材とされており、
前記変位摺動部には、軸受部材が設けられており、
前記軸受部材は、前記支持部材を挿通する長穴形状の貫通穴を有していることを特徴とする画像読取装置。
【請求項４】
請求項１から請求項３までの何れか一つに記載の画像読取装置であって、
前記変位摺動部は、前記主走査方向への前記走査体の移動を規制する構成とされていることを特徴とする画像読取装置。
【請求項５】
請求項１から請求項４までの何れか一つに記載の画像読取装置であって、
前記ガイド部材は、前記副走査方向において前記原稿移動読取モードを実行する構成での前記読取位置と前記原稿固定読取モードを実行する構成での前記読取領域との間で前記走査体を前記読取高さ方向に変位させる変位部と、前記変位部によって変位された前記走査体を前記第１の読取面と前記第２の読取面とのうち何れか一方の読取面に対向させる対向部とを有しており、
前記走査体は、該走査体から突出されて前記ガイド部材に当接される当接部を有し、
前記変位部は、前記走査体の前記副走査方向への移動に伴い前記当接部が摺接し、かつ、前記読取位置と前記読取領域との間で前記走査体が傾斜して移動するように形成された傾斜面を有しており、
前記対向部は、前記傾斜面に連設された平坦面を有しており、
前記第１の読取面は、前記読取高さ方向において前記第２の読取面を基準にして前記画像読取部とは反対側に後退して配置されており、
前記傾斜面は、前記当接部との摺接によって前記走査体が前記副走査方向で前記読取位置に近づくにつれて前記読取高さ方向で前記第１の読取面に近づくように形成されており、
前記平坦面は、前記走査体が前記読取位置で前記第１の読取面に対向するように形成されていることを特徴とする画像読取装置。
【請求項６】
請求項５に記載の画像読取装置であって、
前記画像読取部は、前記走査体に設けられていることを特徴とする画像読取装置。
【請求項７】
請求項５又は請求項６に記載の画像読取装置であって、
前記ガイド部材は、前記主走査方向の両側に配置される一対のガイド部材とされていることを特徴とする画像読取装置。
【請求項８】
請求項７に記載の画像読取装置であって、
前記一対のガイド部材のうち、一方のガイド部材は前記主走査方向及び前記副走査方向にずれるように設けられた複数のガイド部材とされ、他方のガイド部材は、単一のガイド部材とされていることを特徴とする画像読取装置。
【請求項９】
請求項８に記載の画像読取装置であって、
前記変位部及び前記対向部は、前記走査体の前記副走査方向への移動にあたって前記走査体の姿勢が維持されるように構成されていることを特徴とする画像読取装置。
【請求項１０】
請求項５から請求項９までの何れか一つに記載の画像読取装置であって、
前記当接部には、前記傾斜面及び前記平坦面を転動する転動部材が設けられていることを特徴とする画像読取装置。
【請求項１１】
請求項１から請求項１０までの何れか一つに記載の画像読取装置であって、
前記走査体を前記副走査方向に移動自在に支持するレール部材を備え、
前記走査体は、前記レール部材上を摺動する摺動部材を有していることを特徴とする画像読取装置。
【請求項１２】
請求項５から請求項１０までの何れか一つに記載の画像読取装置であって、
前記走査体を前記副走査方向に移動自在に支持するレール部材を備え、
前記レール部材と前記変位部と前記対向部とのうち少なくとも二つが一体とされていることを特徴とする画像読取装置。
【請求項１３】
請求項１から請求項１２までの何れか一つに記載の画像読取装置を備えたことを特徴とする画像形成装置。
【発明の詳細な説明】
【技術分野】
【０００１】
本発明は、原稿に対して光学的に走査して原稿画像を読み取る画像読取装置、特に、原稿移動読取方式により原稿を移動させて原稿画像を読み取り、かつ、原稿固定読取方式により原稿を固定して原稿画像を読み取ることが可能な画像読取装置及びそれを備えた画像形成装置に関する。
【背景技術】
【０００２】
複写機、ファクシミリ装置及びデジタル複合機等の画像形成装置に備えられる画像読取装置や、ネットワーク等の通信手段を介してコンピュータに接続される画像読取装置では、光源によって照明された原稿からの反射光を原稿画像として読み取るようになっている。
【０００３】
画像読取装置として、一般的に、原稿を移動させて原稿画像を読み取る原稿移動読取方式のものや、原稿を固定して原稿画像を読み取る原稿固定読取方式のものが採用される。
【０００４】
詳しくは、原稿移動読取方式の画像読取装置では、原稿移動読取モードにおいて第１の透明板（例えば原稿読取ガラス）上を通過するように副走査方向に搬送される原稿を読取位置に位置する走査体にて該第１の透明板を介して主走査方向に走査して画像読取部で読み取る。また、原稿固定読取方式の画像読取装置では、原稿固定読取モードにおいて走査体を副走査方向に移動させつつ第２の透明板（例えば原稿台ガラス）上に載置された原稿を読取領域で該第２の透明板を介して主走査方向に走査して画像読取部で読み取る。
【０００５】
従来の画像読取装置として、例えば、原稿を照明する光源と第１ミラーとを配置した光源ユニットと、第２及び第３ミラーと、結像レンズと、ＣＣＤ（Charge Coupled Device）等の縮小型光電変換素子とを備え、原稿移動読取モードでは、光源ユニットを原稿読取ガラスの読取位置に位置させて、また、原稿固定読取モードでは、光源ユニットを原稿台ガラスの読取領域に移動させて、光源により照明された原稿反射光を第１ミラー、第２ミラー、第３ミラーから結像レンズを介して光電変換素子に結像させて原稿画像を読み取る構成のものや、原稿を照明する光源とＣＩＳ（Contact Image Sensor）等の密着型光電変換素子とを配置した光源ユニットを備え、光源ユニットを前記と同様に読取位置に位置させたり読取領域に移動させたりして、光源により照明された原稿反射光を光電変換素子に照射して原稿画像を読み取る構成のものが多い。
【０００６】
このような従来の画像読取装置においては、原稿移動読取モードで搬送される原稿を読み取るための第１の透明板（例えば原稿読取ガラス）における第１の読取面と、原稿固定読取モードで原稿を載置する第２の透明板（例えば原稿台ガラス）における第２の読取面とで主走査方向及び副走査方向に直交する読取高さ方向の読取高さが同じであり、走査体は、第１及び第２の透明板に対して常に同じ距離を維持するように、移動或いは静止して原稿を読み取るようになっている。
【先行技術文献】
【特許文献】
【０００７】
【特許文献１】特開平４−３６６９４０号公報
【発明の概要】
【発明が解決しようとする課題】
【０００８】
しかしながら、従来の画像読取装置では、第１の透明板における第１の読取面と第２の透明板における第２の読取面とで読取高さが異なるように構成にすることが要求されることがある。この場合、読取位置に位置する走査体から出射された光が第１の読取面を経て画像読取部へ到達する第１の光路長と、読取領域に位置する走査体から出射された光が第２の読取面を経て画像読取部へ到達する第２の光路長とが異なってしまうという不都合がある。
【０００９】
例えば、原稿移動読取モードを実行する構成において、第１の透明板における読取位置での読み取り前後で原稿を搬送するために、読取位置を基準にして原稿の搬送方向の上流側及び下流側に一対の搬送ローラがそれぞれ設けられる。
【００１０】
図７は、原稿移動読取モードを実行する構成において、読取位置Ｖ１を基準にして原稿Ｇの搬送方向Ｙ３の上流側及び下流側に一対の搬送ローラ（３０４ａ，３０４ｂ），（３０５ａ，３０５ｂ）がそれぞれ設けられている画像読取装置の構成例を概略的に示す断面図である。
【００１１】
原稿移動読取モードを実行する構成において、原稿読取ガラス（第１の透明板の一例）２０６における第１の読取面２０６ａと原稿台ガラス（第２の透明板の一例）２０７における第２の読取面２０７ａとで読取高さを同じにするには、通常は一対の搬送ローラ（３０４ａ，３０４ｂ），（３０５ａ，３０５ｂ）を屈曲部分α１，α２を介して第１の読取面２０６ａに対して急な傾きとされた搬送経路３０３ｄに配置する。
【００１２】
ところが、一対の搬送ローラ（３０４ａ，３０４ｂ），（３０５ａ，３０５ｂ）を屈曲部分α１，α２が形成された搬送経路３０３ｄに配置すると、原稿Ｇとして基準となる原稿よりも厚い及び／又は硬い剛性のある特殊原稿（例えば名刺などの厚手原稿やカードなど）を用いる場合には、特殊原稿が搬送経路３０３ｄの屈曲部分α１，α２で詰まり易く、特殊原稿の搬送性が悪化する。
【００１３】
このことは、自動原稿送り装置３００ｄにて順に搬送される原稿Ｇの並び順を維持するという観点から、図７に例示する如く、原稿Ｇがその表裏を反転させながら案内するように形成されたＵ字状の搬送経路３０３ｄを備えた構成において特に顕著となる。
【００１４】
このような不都合を解消するためには、原稿読取ガラス２０６における読取位置Ｖ１での読み取り前後の搬送経路を第１の読取面２０６ａに対して緩やかな傾斜の搬送経路や、直線状の搬送経路することが考えられる。
【００１５】
図８及び図９は、原稿読取ガラス２０６における読取位置Ｖ１での読み取り前後に直線状の搬送経路３０３ａ，３０３ｂを形成した画像読取装置の構成例を概略的に示す断面図である。図８は、原稿移動読取モードで原稿Ｇを読み取っている状態を示しており、図９は、原稿固定読取モードで原稿Ｇを読み取っている状態を示している。
【００１６】
図８及び図９に示すように、原稿読取ガラス２０６における読取位置Ｖ１での読み取り前後に直線状の搬送経路３０３ａ，３０３ｂを形成することで、名刺やカードなどの特殊原稿を確実に搬送することができるため、特殊原稿の搬送性を向上させることができる。
【００１７】
しかし、かかる構成では、一対の搬送ローラ（３０４ａ，３０４ｂ），（３０５ａ，３０５ｂ）のうち、ＣＣＤ等の画像読取部２０５の側に位置する搬送ローラ３０４ｂ，３０５ｂに対してスペースを設ける関係で、原稿読取ガラス２０６が読取高さ方向（図中矢印Ｚ方向）において原稿台ガラス２０７よりも画像読取部２０５とは反対側に後退し、原稿読取ガラス２０６における第１の読取面２０６ａと原稿台ガラス２０７における第２の読取面２０７ａとで段差Ｓが生じており、読取高さが異なってしまう。
【００１８】
これでは、読取位置Ｖ１に位置する光源ユニット（走査体の一例）２２０から出射された光が第１の読取面２０６ａを経て画像読取部２０５へ到達する第１の光路長Ｌ１（図８参照）と、読取領域Ｖ２に位置する光源ユニット２２０から出射された光が第２の読取面２０７ａを経て画像読取部２０５へ到達する第２の光路長Ｌ２（図９参照）とが段差Ｓの分だけ異なってしまうために、画像読取部２０５で光量が不足したり焦点が合わなかったりといった光学性能を損なうことになり、良好に原稿画像を読み取ることができない。
【００１９】
これを解決するために原稿移動読取モードを実行する構成と原稿固定読取モードを実行する構成とで別々に走査体を設けることが考えられるが、そうすると、装置構成が複雑化し、それだけコストアップを招く。
【００２０】
なお、関連技術分野における参考文献として特許文献１のものがある。すなわち、特許文献１は、駆動装置の負担を低減させ、安全確実に光学キャリッジをホーム位置で静止させることを目的として、画像形成装置の原稿読取部に用いられる光学キャリッジが原稿を走査するに際しガイドに沿って案内されてホーム位置を起点として往復移動し、ガイドにおいてホーム位置近傍の範囲で光学キャリッジが復動時にホーム位置に近づくにつれて光学キャリッジの鉛直方向の高さが増す傾向に案内経路が変化するよう構成されることを開示している。ところが、特許文献１では、駆動装置の負担を低減させ、安全確実に光学キャリッジをホーム位置で静止させることが示されているものの、読取位置に位置する走査体から画像読取部への第１の光路長と、読取領域に位置する走査体から画像読取部への第２の光路長とを維持させることについて何ら言及していない。
【００２１】
そこで、本発明は、原稿移動読取モードを実行する構成と原稿固定読取モードを実行する構成とを有する画像読取装置であって、第１の透明板における第１の読取面と第２の透明板における第２の読取面とで読取高さが異なっていても、画像読取部で光量が不足したり焦点が合わなかったりといった光学性能を損なうことなく、良好に原稿画像を読み取ることができる構造簡単な画像読取装置及びそれを備えた画像形成装置を提供することを目的とする。
【課題を解決するための手段】
【００２２】
本発明は、前記課題を解決するために、第１の透明板（例えば原稿読取ガラス）上を通過するように副走査方向に搬送される原稿を読取位置に位置する走査体にて該第１の透明板を介して主走査方向に走査して画像読取部（例えば光電変換素子）で読み取る原稿移動読取モードを実行する構成と、前記走査体を前記副走査方向に移動させつつ第２の透明板（例えば原稿台ガラス）上に載置された原稿を読取領域で該第２の透明板を介して前記主走査方向に走査して前記画像読取部で読み取る原稿固定読取モードを実行する構成とを有する画像読取装置であって、前記第１の透明板における第１の読取面と前記第２の透明板における第２の読取面とで前記主走査方向及び前記副走査方向に直交する読取高さ方向の読取高さが異なっており、前記読取位置に位置する前記走査体と前記第１の読取面との間の第１の距離、及び前記読取領域に位置する前記走査体と前記第２の読取面との間の第２の距離を維持するように前記走査体を案内するガイド部材と、前記走査体を前記副走査方向に摺動自在に支持する支持部材とを備え、前記走査体は、前記支持部材に摺動される変位摺動部を有しており、前記変位摺動部は、前記ガイド部材による前記読取高さ方向への前記走査体の変位分の移動を許容する構成とされていることを特徴とする画像読取装置を提供する。
【００２３】
また、本発明は、前記本発明に係る画像読取装置を備えていることを特徴とする画像形成装置も提供する。
【００２４】
本発明に係る画像読取装置及びに画像形成装置によれば、前記第１の読取面と前記第２の読取面とで前記読取高さが異なっていても、前記ガイド部材によって、前記読取位置に位置する前記走査体と前記第１の透明板における前記第１の読取面との間の前記第１の距離と、前記読取領域に位置する前記走査体と前記第２の透明板における前記第２の読取面との間の前記第２の距離とを維持するように前記走査体を案内するので、前記第１の距離と前記第２の距離とを維持させる（同一長さにする）ことができ、ひいては、前記読取位置に位置する前記走査体から出射された光が前記第１の読取面を経て前記画像読取部へ到達する第１の光路長と、前記読取領域に位置する前記走査体から出射された光が前記第２の読取面を経て前記画像読取部へ到達する第２の光路長とを維持させる（同一長さにする）ことができる。これにより、前記画像読取部で光量が不足したり焦点が合わなかったりといった光学性能を損なうことなく、良好に原稿画像を読み取ることが可能となる。
【００２５】
しかも、前記ガイド部材を備えているので、前記原稿移動読取モードを実行する構成と前記原稿固定読取モードを実行する構成とで別々に走査体を設ける必要がなく、これにより、装置構成を簡素化することができ、それだけコストを低く抑えることができる。
【００２６】
また、前記支持部材を備えているので、該支持部材が前記走査体を前記副走査方向に摺動自在に支持することで、前記走査体を前記副走査方向に安定して往復移動させることができる。さらに、前記走査体は前記変位摺動部を有しているので、該変位摺動部が前記ガイド部材による前記読取高さ方向への前記走査体の変位分の移動を許容することで、前記ガイド部材によって前記走査体が前記読取高さ方向へ変位しても、該走査体を支障なく案内することができる。
【００２７】
本発明において、前記支持部材としては、代表的には前記副走査方向に延びる軸部材を例示できる。
【００２８】
本発明において、前記支持部材が前記副走査方向に延びる軸部材とされている場合、前記変位摺動部には、前記支持部材を挿通する長穴形状の貫通穴が設けられている態様を例示できる。
【００２９】
この態様では、前記変位摺動部に設けられた前記長穴形状の貫通穴に前記支持部材が挿通されるので、前記走査体における前記変位摺動部の前記支持部材からの脱落を防止することができる。
【００３０】
本発明において、前記支持部材が前記副走査方向に延びる軸部材とされている場合、前記変位摺動部には、軸受部材が設けられており、前記軸受部材は、前記支持部材を挿通する長穴形状の貫通穴を有している態様を例示できる。
【００３１】
この態様では、前記変位摺動部における前記軸受部材に設けられた前記長穴形状の貫通穴に前記支持部材が挿通されるので、前記走査体における前記変位摺動部の前記支持部材からの脱落を防止することができる。さらに、前記変位摺動部に前記軸受部材が設けられているので、前記走査体を前記読取高さ方向に前記変位させたときの振動等の影響を軽減させることができる。しかも、前記軸受部材を用いることで、前記走査体の前記読取高さ方向の位置精度を長期にわたり維持しつつ前記走査体を前記副走査方向に円滑にかつ安定して往復移動させることができる。
【００３２】
本発明において、前記変位摺動部は、前記主走査方向への前記走査体の移動を規制する構成とされている態様を例示できる。
【００３３】
この態様では、前記変位摺動部が前記主走査方向への前記走査体の移動を規制することで、前記走査体の前記主走査方向の位置精度を向上させることができる。
【００３４】
本発明において、前記ガイド部材は、前記副走査方向において前記原稿移動読取モードを実行する構成での前記読取位置と前記原稿固定読取モードを実行する構成での前記読取領域との間で前記走査体を前記読取高さ方向に変位させる変位部と、前記変位部によって変位された前記走査体を前記第１の読取面と前記第２の読取面とのうち何れか一方の読取面に対向させる対向部とを有しており、前記走査体は、該走査体から突出されて前記ガイド部材に当接される当接部を有し、前記変位部は、前記走査体の前記副走査方向への移動に伴い前記当接部が摺接し、かつ、前記読取位置と前記読取領域との間で前記走査体が傾斜して移動するように形成された傾斜面を有しており、前記対向部は、前記傾斜面に連設された平坦面を有しており、前記第１の読取面は、前記読取高さ方向において前記第２の読取面を基準にして前記画像読取部とは反対側に後退して配置されており、前記傾斜面は、前記当接部との摺接によって前記走査体が前記副走査方向で前記読取位置に近づくにつれて前記読取高さ方向で前記第１の読取面に近づくように形成されており、前記平坦面は、前記走査体が前記読取位置で前記第１の読取面に対向するように形成されている態様を例示できる。
【００３５】
この態様では、前記ガイド部材が前記変位部と前記対向部とを有しているので、装置構成をさらに簡素化することが可能となる。さらに、前記変位部が前記傾斜面を有し、前記対向部が前記平坦面を有しているので、装置構成をさらに簡素化することが可能となる。また、前記第１の読取面が前記読取高さ方向において前記第２の読取面を基準にして前記画像読取部とは反対側に後退して配置されていることで、例えば、前記原稿移動読取モードを実行する構成において原稿として基準となる原稿よりも剛性のある特殊原稿（例えば名刺などの厚手原稿やカードなど）を読み取る特殊原稿モードを実行する構成を好適に用いることができる。これにより、特殊原稿を確実に搬送することができ、特殊原稿の搬送性を向上させることが可能となる。
【００３６】
ところで、前記画像読取部が前記走査体とは別の場所に設けられている場合には、前記走査体の前記副走査方向への移動によって前記走査体を前記読取高さ方向へ変位させると、前記走査体の変位に合わせて前記画像読取部を前記読取高さ方向へ変位させるといった構成の如く前記走査体と前記画像読取部との間で光路を合わせる変位機構を設けない限り、前記走査体からの光路が前記画像読取部に対してずれることになる。
【００３７】
かかる観点から、本発明において、前記画像読取部は、前記走査体に設けられていることが好ましい。
【００３８】
この態様では、前記画像読取部が前記走査体に設けられているので、前記走査体の前記副走査方向への移動によって前記走査体を前記読取高さ方向へ変位させても、前記走査体からの光路が前記画像読取部に対してずれるという不都合を回避することが可能となる。しかも、前記走査体と前記画像読取部との間で光路を合わせる変位機構を設ける必要がない。
【００３９】
本発明において、前記ガイド部材は、前記主走査方向の両側に配置される一対のガイド部材とされていることが好ましい。
【００４０】
この態様では、前記ガイド部材が前記主走査方向の両側に配置される前記一対のガイド部材とされているので、前記走査体の前記副走査方向への移動によって前記走査体を前記読取高さ方向へ変位させるにあたり、前記走査体を前記主走査方向の両側で安定的に案内することが可能となる。
【００４１】
本発明において、前記一対のガイド部材のうち、一方のガイド部材は前記主走査方向及び前記副走査方向にずれるように設けられた複数の（例えば二つの）ガイド部材とされ、他方のガイド部材は、単一のガイド部材とされていることが好ましい。
【００４２】
この態様では、前記走査体の前記副走査方向への移動によって前記走査体を前記読取高さ方向へ変位させるにあたり、前記走査体を前記主走査方向の両側と前記副走査方向とで（例えば前記一方のガイド部材が前記二つのガイド部材とされる場合には少ない構成要素でありながら安定性に優れる３点支持で）安定的に案内することができる。
【００４３】
前記複数のガイド部材及び前記他方のガイド部材において、前記変位部及び前記対向部は、前記走査体の前記副走査方向への移動にあたって前記走査体の姿勢が維持されるように構成されていることが好ましい。
【００４４】
この態様では、前記走査体の前記副走査方向への移動によって前記走査体が前記読取高さ方向へ変位するときでも前記走査体の姿勢を維持することができ、前記走査体の前記読取高さ方向への変位にあたって前記走査体の姿勢の安定性に優れ、従って、前記走査体が揺れ動くことがない。これにより、前記走査体の揺れによる前記走査体における構成部品の取り付け性を損なうことが少ないため、精度の良い原稿画像の読み取り動作を維持することが可能となる。
【００４５】
具体的には、前記当接部は、前記読取高さ方向の先端の高さが何れも同じとされている場合、前記複数のガイド部材及び前記他方のガイド部材において、前記変位部は、前記傾斜面の前記読取高さ方向の高さ、前記傾斜面の前記副走査方向の距離、前記傾斜面の傾斜角度が何れも同じとされ、前記対向部は、前記平坦面が何れも平行とされ、前記傾斜面は、前記走査体の前記副走査方向への移動にあたり、前記当接部に接触するタイミングが同じになるように構成されている態様を例示できる。
【００４６】
本発明において、前記当接部には、前記傾斜面及び前記平坦面を転動する転動部材が設けられていることが好ましい。
【００４７】
この態様では、前記走査体の前記副走査方向への移動にあたり、前記傾斜面及び前記平坦面上で前記転動部材を介して前記当接部を円滑に走行させることができる。
【００４８】
本発明において、前記走査体を前記副走査方向に移動自在に支持するレール部材を備えていてもよい。この場合、前記走査体は、前記レール部材上を摺動する摺動部材を有していることが好ましい。
【００４９】
この態様では、前記走査体を前記副走査方向に移動自在に支持する前記レール部材を備えているので、前記レール部材によって、前記走査体を前記副走査方向へ安定的にかつ確実に移動させることができる。しかも、前記走査体が前記レール部材上を摺動する前記摺動部材を有しているので、前記摺動部材によって前記走査体を前記副走査方向へ円滑に移動させることができる。
【００５０】
本発明において、前記走査体を前記副走査方向に移動自在に支持するレール部材を備えている場合、前記レール部材と前記変位部と前記対向部とのうち少なくとも二つが一体とされていることが好ましい。
【００５１】
この態様では、前記走査体を前記副走査方向に移動自在に支持する前記レール部材を備えているので、前記レール部材によって、前記走査体を前記副走査方向へ安定的にかつ確実に移動させることができる上、前記レール部材と前記変位部と前記対向部とのうち少なくとも二つが一体とされているので、当該画像読取装置の低コスト化を実現することが可能となる。
【００５２】
なお、本発明に係る画像読取装置は、光源と複数のミラーとレンズとを備え、原稿からの反射光をミラーにてレンズに導き、かつ、該レンズにて画像読取部として作用するレンズ縮小型光電変換素子（イメージセンサ）に縮小画像を結像させて読み取る縮小光学系タイプの画像読取装置であってもよい。この場合、前記走査体は、前記光源と前記複数のミラーと前記レンズとを備え、該走査体に前記光電変換素子が設けられることが好ましい。縮小光学系タイプの画像読取装置に用いられる光電変換素子としては、電荷結合素子（ＣＣＤ：Charge Coupled Devices）等の固体撮像素子を例示できる。
【００５３】
また、本発明に係る画像読取装置は、光源とレンズアレイとを備え、原稿からの反射光を該原稿に近接したレンズアレイにて画像読取部として作用する密着型光電変換素子（イメージセンサ（ＣＩＳ：Contact Image Sensor））に等倍画像を結像させて読み取る等倍光学系タイプの画像読取装置であってもよい。この場合、前記走査体は、前記光源と前記レンズアレイとを備え、該走査体に前記光電変換素子が設けられることが好ましい。
【発明の効果】
【００５４】
以上説明したように、本発明によると、前記第１の読取面と前記第２の読取面とで前記読取高さが異なっていても、前記ガイド部材によって、前記読取位置に位置する前記走査体と前記第１の透明板（例えば原稿読取ガラス）における前記第１の読取面との間の第１の距離と、前記読取領域に位置する前記走査体と前記第２の透明板（例えば原稿台ガラス）における前記第２の読取面との間の第２の距離とを維持するように前記走査体を案内するので、前記第１の距離と前記第２の距離とを維持させることができ、ひいては、前記読取位置に位置する前記走査体から前記画像読取部への第１の光路長と、前記読取領域に位置する前記走査体から前記画像読取部への第２の光路長とを維持させることができる。これにより、前記画像読取部で光量が不足したり焦点が合わなかったりといった光学性能を損なうことなく、良好に原稿画像を読み取ることが可能となる。
【００５５】
しかも、前記ガイド部材を備えるので、前記原稿移動読取モードを実行する構成と前記原稿固定読取モードを実行する構成とで別々に走査体を設ける必要がなく、これにより、装置構成を簡素化することができ、それだけコストを低く抑えることができる。
【００５６】
また、前記支持部材を備えているので、該支持部材が前記走査体を前記副走査方向に摺動自在に支持することで、前記走査体を前記副走査方向に安定して往復移動させることができる。さらに、前記走査体は前記変位摺動部を有しているので、該変位摺動部が前記ガイド部材による前記読取高さ方向への前記走査体の変位分の移動を許容することで、前記ガイド部材によって前記走査体が前記読取高さ方向へ変位しても、該走査体を支障なく案内することができる。
【図面の簡単な説明】
【００５７】
【図１】本発明の実施の形態に係る画像読取装置を備えた画像形成装置を概略的に示す断面図である。
【図２】図１に示す画像読取装置において、原稿固定読取モードで原稿を読み取っている状態を概略的に示す断面図である。
【図３】図１に示す画像読取装置において、原稿固定読取モードで原稿を読み取っている状態を概略的に示す平面図である。
【図４】図１に示す画像読取装置において、原稿固定読取モードで原稿を読み取っている状態を概略的に示す側面図である。
【図５】図２に示す画像読取装置において、ガイド部材及び光学ユニット並びにその周辺部分を拡大して示す拡大図である。
【図６Ａ】図１に示す画像読取装置において、原稿移動読取モードで原稿を読み取っている状態を概略的に示す断面図である。
【図６Ｂ】図１に示す光学ユニットにおける変位摺動部の変形例を示す概略側面図であって、（ａ）は、該変位摺動部の一例を示す図であり、（ｂ）は、他の例を示す図であり、（ｃ）は、（ａ）に示す例の他の例を示す図であり、（ｄ）は、（ｂ）に示す例の他の例を示す図である。
【図７】原稿移動読取モードを実行する構成において、読取位置を基準にして原稿の搬送方向の上流側及び下流側に一対の搬送ローラがそれぞれ設けられている画像読取装置の構成例を概略的に示す断面図である。
【図８】原稿読取ガラスにおける読取位置での読み取り前後に直線状の搬送経路を形成した画像読取装置の構成例を概略的に示す断面図であって、原稿移動読取モードで原稿を読み取っている状態を示す図である。
【図９】原稿読取ガラスにおける読取位置での読み取り前後に直線状の搬送経路を形成した画像読取装置の構成例を概略的に示す断面図であって、原稿固定読取モードで原稿を読み取っている状態を示す図である。
【発明を実施するための形態】
【００５８】
以下、本発明に係る実施の形態について図面を参照しながら説明する。なお、以下の実施の形態は、本発明を具体化した例であって、本発明の技術的範囲を限定する性格のものではない。
【００５９】
図１は、本発明の実施の形態に係る画像読取装置１００を備えた画像形成装置Ｄを概略的に示す断面図である。
【００６０】
図１に示す画像形成装置Ｄは、原稿の画像を読み取る画像読取装置１００と、この画像読取装置１００により読み取られた原稿の画像又は外部から受信した画像をカラーもしくは単色で普通紙等の記録シートに記録形成する装置本体Ｄｄとを備えている。
【００６１】
［画像形成装置の全体構成について］
画像形成装置Ｄの装置本体Ｄｄは、露光装置１、現像装置２（２ａ，２ｂ，２ｃ，２ｄ）、像担持体として作用する感光体ドラム３（３ａ，３ｂ，３ｃ，３ｄ）、帯電器５（５ａ，５ｂ，５ｃ，５ｄ）、クリーナ装置４（４ａ，４ｂ，４ｃ，４ｄ）、転写部として作用する中間転写ローラ６（６ａ，６ｂ，６ｃ，６ｄ）を含む中間転写ベルト装置８、定着装置１２、シート搬送装置５０、給紙部として作用する給紙トレイ１０、及び排紙部として作用する排紙トレイ１５を備えている。
【００６２】
画像形成装置Ｄの装置本体Ｄｄにおいて扱われる画像データは、ブラック（Ｋ）、シアン（Ｃ）、マゼンタ（Ｍ）、イエロー（Ｙ）の各色を用いたカラー画像に応じたもの、又は単色（例えばブラック）を用いたモノクロ画像に応じたものである。従って、現像装置２（２ａ，２ｂ，２ｃ，２ｄ）、感光体ドラム３（３ａ，３ｂ，３ｃ，３ｄ）、帯電器５（５ａ，５ｂ，５ｃ，５ｄ）、クリーナ装置４（４ａ，４ｂ，４ｃ，４ｄ）、中間転写ローラ６（６ａ，６ｂ，６ｃ，６ｄ）は各色に応じた４種類の画像を形成するようにそれぞれ４個ずつ設けられ、それぞれの末尾符号ａ〜ｄのうち、符号ａがブラックに、符号ｂがシアンに、符号ｃがマゼンタに、符号ｄがイエローに対応付けられて、４つの画像ステーションが構成されている。以下、末尾符号ａ〜ｄは省略して説明する。
【００６３】
感光体ドラム３は、装置本体Ｄｄの上下方向のほぼ中央に配置されている。帯電器５は、感光体ドラム３の表面を所定の電位に均一に帯電させるための帯電手段であり、接触型であるローラ型やブラシ型の帯電器のほか、チャージャ型の帯電器が用いられる。
【００６４】
露光装置１は、ここでは、レーザダイオード及び反射ミラーを備えたレーザスキャニングユニット（ＬＳＵ）であり、帯電された感光体ドラム３表面を画像データに応じて露光して、その表面に画像データに応じた静電潜像を形成する。
【００６５】
現像装置２は、感光体ドラム３上に形成された静電潜像を（Ｋ，Ｃ，Ｍ，Ｙ）のトナーにより現像する。クリーナ装置４は、現像及び画像転写後に感光体ドラム３表面に残留したトナーを除去及び回収する。
【００６６】
感光体ドラム３の上方に配置されている中間転写ベルト装置８は、中間転写ローラ６に加えて、中間転写ベルト７、中間転写ベルト駆動ローラ２１、従動ローラ２２、テンションローラ２３、及び中間転写ベルトクリーニング装置９を備えている。
【００６７】
中間転写ベルト駆動ローラ２１、中間転写ローラ６、従動ローラ２２、テンションローラ２３等のローラ部材は、中間転写ベルト７を張架して支持し、中間転写ベルト７を所定のシート搬送方向（図中矢印方向）に周回移動させる。
【００６８】
中間転写ローラ６は、中間転写ベルト７内側に回転可能に支持され、中間転写ベルト７を介して感光体ドラム３に圧接されている。
【００６９】
中間転写ベルト７は、各感光体ドラム３に接触するように設けられており、各感光体ドラム３表面のトナー像を中間転写ベルト７に順次重ねて転写することによって、カラーのトナー像（各色のトナー像）を形成する。この転写ベルト７は、ここでは、厚さ１００μｍ〜１５０μｍ程度のフィルムを用いて無端ベルト状に形成されている。
【００７０】
感光体ドラム３から中間転写ベルト７へのトナー像の転写は、中間転写ベルト７内側（裏面）に圧接されている中間転写ローラ６によって行われる。中間転写ローラ６には、トナー像を転写するために高電圧の転写バイアス（例えば、トナーの帯電極性（−）とは逆極性（＋）の高電圧）が印加される。中間転写ローラ６は、ここでは、直径８〜１０ｍｍの金属（例えばステンレス）軸をベースとし、その表面は、導電性の弾性材（例えばＥＰＤＭ、発泡ウレタン等）により覆われたローラである。この導電性の弾性材により、中間転写ベルト７に対して均一に高電圧を印加することができる。
【００７１】
画像形成装置Ｄの装置本体Ｄｄは、転写部として作用する転写ローラ１１ａを含む２次転写装置１１をさらに備えている。転写ローラ１１ａは、中間転写ベルト７の中間転写ベルト駆動ローラ２１とは反対側（外側）に接触している。
【００７２】
上述の様に各感光体ドラム３表面のトナー像は、中間転写ベルト７で積層され、画像データによって示されるカラーのトナー像となる。このように積層された各色のトナー像は、中間転写ベルト７と共に搬送され、２次転写装置１１によって記録シート上に転写される。
【００７３】
中間転写ベルト７と２次転写装置１１の転写ローラ１１ａとは、相互に圧接されてニップ域を形成する。また、２次転写装置１１の転写ローラ１１ａには、中間転写ベルト７上の各色のトナー像を記録シートに転写させるための電圧（例えば、トナーの帯電極性（−）とは逆極性（＋）の高電圧）が印加される。さらに、そのニップ域を定常的に得るために、２次転写装置１１の転写ローラ１１ａもしくは中間転写ベルト駆動ローラ２１の何れか一方を硬質材料（金属等）とし、他方を弾性ローラ等の軟質材料（弾性ゴムローラや発泡性樹脂ローラ等）としている。
【００７４】
また、２次転写装置１１によって中間転写ベルト７上のトナー像が記録シート上に完全に転写されず、中間転写ベルト７上にトナーが残留することがあり、この残留トナーが次工程でトナーの混色を発生させる原因となる。このため、中間転写ベルトクリーニング装置９によって残留トナーを除去及び回収する。中間転写ベルトクリーニング装置９には、例えばクリーニング部材として中間転写ベルト７に接触するクリーニングブレードが備えられており、このクリーニングブレードで残留トナーを除去及び回収することができる。従動ローラ２２は、中間転写ベルト７を内側（裏側）から支持しており、クリーニングブレードは、外部から従動ローラ２２に向けて押圧するように中間転写ベルト７に接触している。
【００７５】
給紙トレイ１０は、記録シートを格納しておくためのトレイであり、装置本体Ｄｄの画像形成部の下側に設けられている。また、画像形成部の上側に設けられている排紙トレイ１５は、印刷済みの記録シートをフェイスダウンで載置するためのトレイである。
【００７６】
また、装置本体Ｄｄには、給紙トレイ１０の記録シートを２次転写装置１１や定着装置１２を経由させて排紙トレイ１５に送るためのシート搬送装置５０が設けられている。このシート搬送装置５０は、Ｓの字形状のシート搬送路Ｓを有し、シート搬送路Ｓに沿って、ピックアップローラ１６、サバキローラ１４ａ、分離ローラ１４ｂ、各搬送ローラ１３、レジスト前ローラ対１９、レジストローラ対１０６、定着装置１２、及び排紙ローラ１７等の搬送部材が配置されている。
【００７７】
ピックアップローラ１６は、給紙トレイ１０のシート搬送方向下流側端部に設けられ、給紙トレイ１０から記録シートを１枚ずつシート搬送路Ｓに供給する呼び込みローラである。サバキローラ１４ａは、分離ローラ１４ｂとの間に記録シートを通過させて１枚ずつ分離しつつシート搬送路Ｓへと搬送する。各搬送ローラ１３及びレジスト前ローラ対１９は、記録シートの搬送を促進補助するための小型のローラである。各搬送ローラ１３は、シート搬送路Ｓに沿って複数箇所に設けられている。レジスト前ローラ対１９は、レジストローラ対１０６のシート搬送方向上流側の直近に設けられており、記録シートをレジストローラ対１０６へと搬送するようになっている。
【００７８】
レジストローラ１０６は、レジスト前ローラ１９にて搬送されてきた記録シートを一旦停止させて、記録シートの先端を揃え、中間転写ベルト７と２次転写装置１１間のニップ域で中間転写ベルト７上のカラートナー像が記録シートに転写されるように、感光体ドラム３及び中間転写ベルト７の回転にあわせて、記録シートをタイミングよく搬送する。
【００７９】
例えば、レジストローラ１０６は、中間転写ベルト７と２次転写装置１１との間のニップ域で中間転写ベルト７上のカラートナー像の先端が記録シートにおける画像形成範囲の先端に合うように、記録シートを搬送する。
【００８０】
定着装置１２は、ヒートローラ３１及び加圧ローラ３２を備えている。ヒートローラ３１及び加圧ローラ３２は、記録シートを挟み込んで搬送する。
【００８１】
ヒートローラ３１は、所定の定着温度となるように温度制御され、加圧ローラ３２と共に記録シートを熱圧着することにより、記録シートに転写されたトナー像を溶融、混合、圧接し、記録シートに対して熱定着させる機能を有している。また、定着装置１２には、ヒートローラ３１を外部から加熱するための外部加熱ベルト３３が設けられている。
【００８２】
各色のトナー像の定着後での記録シートは、排紙ローラ１７によって排紙トレイ１５上に排出される。
【００８３】
なお、４つの画像形成ステーションのうち少なくとも一つを用いて、モノクロ画像を形成し、モノクロ画像を中間転写ベルト装置８の中間転写ベルト７に転写することも可能である。このモノクロ画像も、カラー画像と同様に、中間転写ベルト７から記録シートに転写され、記録シート上に定着される。
【００８４】
また、記録シートの表（オモテ）面だけではなく、両面の画像形成を行う場合は、記録シートの表面の画像を定着装置１２により定着した後に、記録シートをシート搬送路Ｓの排紙ローラ１７により搬送する途中で、排紙ローラ１７を停止させてから逆回転させ、記録シートを表裏反転経路Ｓｒに通して、記録シートの表裏を反転させてから、記録シートを再びレジストローラ対１０６へと導き、記録シートの表面と同様に、記録シートの裏面に画像を記録して定着し、記録シートを排紙トレイ１５に排出する。
【００８５】
［画像読取装置の全体構成について］
本実施の形態に係る画像読取装置１００は、原稿移動読取モードを実行する原稿移動読取構成（原稿移動読取機能）と原稿固定読取モードを実行する原稿固定読取構成（原稿固定読取機能）とを備えている。
【００８６】
図２、図３及び図４は、それぞれ、図１に示す画像読取装置１００において、原稿固定読取モードで原稿Ｇを読み取っている状態を概略的に示す断面図、平面図及び側面図である。図５は、図２に示す画像読取装置１００において、ガイド部材４００及び光学ユニット２１０並びにその周辺部分を拡大して示す拡大図である。なお、図４において自動原稿送り装置３００は図示を省略している。
【００８７】
また、図６Ａは、図１に示す画像読取装置１００において、原稿移動読取モードで原稿Ｇを読み取っている状態を概略的に示す断面図である。
【００８８】
原稿移動読取構成では、自動原稿送り装置３００で原稿読取ガラス（第１の透明板の一例）２０６上を通過するように副走査方向（図中矢印Ｙ方向）の一方側Ｙ１（搬送方向Ｙ３）に搬送される原稿Ｇを読取位置（ここでは初期位置）Ｖ１に位置する光学ユニット（走査体の一例）２１０にて原稿読取ガラス２０６を介して主走査方向（図中矢印Ｘ方向）に走査して画像読取部（ここではＣＣＤ）２０５で読み取る。また、原稿固定読取構成では、光学系駆動部５３０で光学ユニット２１０を副走査方向Ｙの他方側Ｙ２に移動させつつ原稿台ガラス（第２の透明板の一例）２０７上に載置された原稿Ｇを読取領域Ｖ２で原稿台ガラス２０７を介して主走査方向Ｘに走査してＣＣＤ２０５で読み取る。
【００８９】
詳しくは、画像読取装置１００は、第１原稿読取部２００と自動原稿送り装置３００とを備えている。
【００９０】
第１原稿読取部２００は、原稿読取ガラス２０６と、原稿台ガラス２０７と、光学ユニット２１０と、光学ユニット２１０を移動させる光学系駆動部５３０と、ＣＣＤ２０５とを備えており、これらの部材は枠体２０２内に収容されている。
【００９１】
原稿読取ガラス２０６は、主走査方向Ｘに延びる透明なガラス板からなり、自動原稿送り装置３００における副走査方向Ｙの一方側Ｙ１の端部の底面に設けられている。原稿台ガラス２０７は、原稿の最大サイズよりも大きめの透明なガラス板からなり、周縁部が枠体２０２の上面の枠体部に支持されている。原稿読取ガラス２０６におけるＣＣＤ２０５の側（原稿読取側）とは反対側の第１の読取面２０６ａと、原稿台ガラス２０７における原稿読取側とは反対側の第２の読取面２０７ａとは、平行とされている。つまり、画像読取装置１００が水平に設置されると、第１及び第２の読取面２０６ａ，２０７ａが水平とされる。
【００９２】
光学系駆動部５３０は、ここでは、駆動モータ５３１、駆動プーリ５３２、駆動伝達機構５３３、従動プーリ５３４及び無端状のベルト５３５を備えており、これらの部材によって、光学ユニット２１０を副走査方向Ｙに往復移動できるように構成されている。
【００９３】
詳しくは、駆動モータ５３１は、ステッピングモータとされており、回転軸５３１ａが主走査方向Ｘ及び副走査方向Ｙに直交する読取高さ方向（原稿読取面２０６ａ，２０７ａに垂直な方向、図中矢印Ｚ方向）に沿うように枠体２０２の副走査方向Ｙの一方側Ｙ１に固定されて支持されている。駆動モータ５３１は、図示しない制御部の指示信号に基づき、回転タイミング及び回転速度が制御されるようになっている。
【００９４】
駆動プーリ５３２は、枠体２０２の底面２０２ａにおける駆動モータ５３１の近傍に読取高さ方向Ｚに沿って固定されて支持された回転軸５３２ａに回転自在に支持されている。
【００９５】
駆動伝達機構５３３は、複数の（ここでは第１から第３）ギヤ５３３ａ〜５３３ｃを含むギヤ列とされている。第１ギヤ５３３ａは、駆動モータ５３１の回転軸５３１ａに相対回転不能に（固定されて）支持されている。第２ギヤ５３３ｂは、回転軸５３２ａに対しては回転自在に、かつ、駆動プーリ５３２に対しては相対回転不能に（固定されて）支持されている。第３ギヤ５３３ｃは、枠体２０２の底面２０２ａにおける駆動モータ５３１の近傍に読取高さ方向Ｚに沿って固定されて支持された回転軸５３３ｄに回転自在に支持され、かつ、第１ギヤ５３３ａ及び第２ギヤ５３３ｂに噛合している。
【００９６】
従動プーリ５３４は、読取高さ方向Ｚに沿うように枠体２０２の副走査方向Ｙの他方側Ｙ２に固定されて支持された支持軸５３４ａに回転自在に支持されている。
【００９７】
ベルト５３５は、駆動プーリ５３２及び従動プーリ５３４に巻き掛けられており、駆動プーリ５３２の回転に伴って従動プーリ５３４が従動回転しつつ駆動プーリ５３２及び従動プーリ５３４の回りを周回移動するようになっている。
【００９８】
そして、ベルト５３５は、制御部にて指示された駆動モータ５３１によって駆動プーリ５３２及び従動プーリ５３４を介して半周分程度周回移動する。このベルト５３５に対して光学ユニット２１０が固定されている。
【００９９】
かかる構成を備えた光学系駆動部５３０では、スキャナモータ５３１の回転軸５３１ａが正回転すると、ベルト５３５が駆動プーリ５３２及び従動プーリ５３４の回りを副走査方向Ｙの他方側Ｙ２に周回移動する。これにより、光学ユニット２１０を他方側Ｙ２に移動させることができる。一方、スキャナモータ５３１の回転軸５３１ａが逆回転すると、ベルト５３５が駆動プーリ５３２及び従動プーリ５３４の回りを副走査方向Ｙの一方側Ｙ１に周回移動する。これにより、光学ユニット２１０を副走査方向Ｙに往復移動させることができる。
【０１００】
また、画像読取装置１００は、光学ユニット２１０を副走査方向Ｙに往復移動自在に支持する支持部材５４０を備えている。
【０１０１】
本実施の形態では、支持部材５４０は、副走査方向Ｙに延びる軸部材とされている。詳しくは、支持部材５４０は、棒状（ここでは円柱状）のスライドシャフトとされており、副走査方向Ｙの両端が枠体２０２に支持されている。光学ユニット２１０は、スライドシャフト５４０に摺動される変位摺動部５４１を有している。なお、支持部材５４０における変位摺動部５４１は、のちほど詳しく説明する。
【０１０２】
これにより、光学ユニット２１０を副走査方向Ｙに安定して往復移動させることができる。
【０１０３】
自動原稿送り装置３００は、原稿Ｇを搬送するために載置する原稿トレイ３０１と、この原稿トレイ３０１よりも副走査方向Ｙの斜め上方に配置される排出トレイ３０２と、これらの間を接続する第１搬送経路３０３と、上流側搬送ローラ対３０４ａ，３０４ｂ及び下流側搬送ローラ対３０５ａ，３０５ｂとからなる２つの搬送ローラ対とを備えている。
【０１０４】
第１搬送経路３０３は、原稿Ｇがその表裏を反転させながら案内するようにＵ字状に形成されている。本実施の形態では、原稿トレイ３０１にフェイスアップで載置された原稿Ｇは、Ｕ字状の第１搬送経路３０３を通って排出トレイ３０２にフェイスダウンで排出されるようになっている。
【０１０５】
上流側搬送ローラ対３０４ａ，３０４ｂは、一方のローラ３０４ａが駆動ローラとされ、他方のローラ３０４ｂが従動ローラとされている。同様に、下流側搬送ローラ対３０５ａ，３０５ｂも、一方のローラ３０５ａが駆動ローラとされ、他方のローラ３０５ｂが従動ローラとされている。
【０１０６】
上流側搬送ローラ対３０４ａ，３０４ｂは、原稿Ｇの搬送方向Ｙ３において原稿読取ガラス２０６を基準にして原稿Ｇを上流側で搬送する。下流側搬送ローラ対３０５ａ，３０５ｂは、原稿Ｇの搬送方向Ｙ３において原稿読取ガラス２０６を基準にして原稿Ｇを下流側で搬送する。すなわち、上流側搬送ローラ対３０４ａ，３０４ｂ及び下流側搬送ローラ対３０５ａ，３０５ｂは、原稿読取ガラス２０６を間にして配設されている。そして、原稿読取ガラス２０６は、第１搬送経路３０３の搬送壁を画するように設けられている。
【０１０７】
自動原稿送り装置３００は、さらに、ピックアップローラ３０６と、サバキローラ３０７と、分離ローラ等の分離部材３０８と、レジストローラ対３０９と、排出ローラ対３１０とを備えている。
【０１０８】
ピックアップローラ３０６は、原稿トレイ３０１上に載置された原稿Ｇを原稿トレイ３０１から搬送方向Ｙ３に沿って第１搬送経路３０３内へ送り出すようになっている。
【０１０９】
サバキローラ３０７は、ピックアップローラ３０６より搬送方向Ｙ３の下流側の搬送路３０３上に配置されており、ピックアップローラ３０６にて送られてきた原稿Ｇを分離部材３０８と共に挟持しつつさらに搬送方向Ｙ３の下流側へ搬送するようになっている。分離部材３０８は、サバキローラ３０７に対峙された状態でサバキローラ３０７との間に搬送される原稿Ｇが１枚になるように原稿Ｇを捌く（分離する）ようになっている。これにより、原稿Ｇをピックアップローラ３０６にてサバキローラ３０７と分離部材３０８との間に搬送し、ここで原稿Ｇを捌いて分離すると共にサバキローラ３０７が回転駆動されることによって１枚ずつ搬送することができる。さらに、サバキローラ３０７にて搬送される原稿Ｇを第１搬送経路３０３にて案内してレジストローラ対３０９に向けて１枚ずつ供給することができる。
【０１１０】
レジストローラ対３０９は、サバキローラ３０７及び分離部材３０８と上流側搬送ローラ対３０４ａ，３０４ｂとの間の搬送路３０３上に配置されており、サバキローラ３０７及び分離部材３０８にて搬送されてきた原稿Ｇを一旦停止させて、原稿Ｇの先端を揃え、ＣＣＤ２０５の読み取りタイミングに合わせて、原稿Ｇをタイミングよく搬送するようになっている。
【０１１１】
上流側搬送ローラ対３０４ａ，３０４ｂは、レジストローラ対３０９からの原稿Ｇを原稿読取ガラス２０６上に送り出して下流側搬送ローラ対３０５ａ，３０５ｂへ搬送するようになっている。下流側搬送ローラ対３０５ａ，３０５ｂは、原稿読取ガラス２０６からの原稿Ｇを排出ローラ対３１０へ搬送するようになっている。
【０１１２】
排出ローラ対３１０は、下流側搬送ローラ対３０５ａ，３０５ｂからの原稿Ｇを排出トレイ３０２に排出するようになっている。
【０１１３】
なお、自動原稿送り装置３００は、副走査方向Ｙに沿った軸線回りに（例えばヒンジによって軸支され）原稿読取部２００に対して開閉可能となっており、その下面には、原稿読取部２００の原稿台ガラス２０７上に載置された原稿Ｇを上から押さえる原稿押さえ部材３１９が設けられている。
【０１１４】
本実施の形態では、原稿読取ガラス２０６における読取位置Ｖ１での読み取り前後に第１搬送経路３０３の一部を構成する直線状の搬送経路３０３ａ，３０３ｂが形成されている。こうすることで、原稿移動読取構成において原稿Ｇとして基準となる原稿よりも剛性のある名刺やカードなどの特殊原稿を確実に搬送することができるため、特殊原稿の搬送性を向上させることができる。なお、本実施の形態においては、特殊原稿読取モードを有しており、特殊原稿が読み取られる場合には、原稿移動読取モードにおいて、特殊原稿読取モードが、図示しない表示部に表示される設定画面や、図示しない操作部に設けられたモードキーへの選択操作によって実行されるようになっている。
【０１１５】
自動原稿送り装置３００は、前記の構成に加えて、特殊原稿用排出搬送経路３１１、特殊原稿用排出ローラ対３１２及び特殊原稿用排出トレイ３１３及び切換部材３１４（図６Ａでは図示省略、図２及び図５参照）を備えている。
【０１１６】
特殊原稿用排出搬送経路３１１は、特殊原稿読取モードにおいて、下流側搬送ローラ対３０５ａ，３０５ｂから搬送されてくる原稿Ｇを特殊原稿用排出ローラ対３１２へ案内するものである。特殊原稿用排出ローラ対３１２は、特殊原稿用排出搬送経路３１１からの原稿Ｇを特殊原稿用排出トレイ３１３に排出するものである。そして、特殊原稿用排出トレイ３１３は、特殊原稿用排出ローラ対３１２にて排出される原稿Ｇを積載する。また、切換部材３１４は、制御部からの指示信号に基づき、原稿移動読取モードの通常モードにおいて基準となる原稿Ｇを下流側搬送ローラ対３０５ａ，３０５ｂから排出ローラ対３１０へ導く第１切換状態（図２及び図５中実線参照）と、原稿移動読取モードの特殊原稿読取モードにおいて特殊原稿Ｇを下流側搬送ローラ対３０５ａ，３０５ｂから特殊原稿用排出ローラ対３１２へ導く第２切換状態（図２及び図５中破線参照）とをとり得るように構成されている。
【０１１７】
なお、上流側搬送ローラ対３０４ａ，３０４ｂ、下流側搬送ローラ対３０５ａ，３０５ｂ、排出ローラ対３１０等の搬送系ローラは、図示しない搬送系の駆動部にて駆動されるようになっている。
【０１１８】
光学ユニット２１０は、原稿Ｇに向けて光照射する光源２２１を有する光源ユニット２２０を備えている。
【０１１９】
詳しくは、光源ユニット２２０は、縮小光学系タイプのものとされており、光源２２１に加えて、複数の（ここでは第１から第４）ミラー２２２〜２２５と、集光レンズ２２６とを備えている。
【０１２０】
第１ミラー２２２は、原稿Ｇからの反射光を第２ミラー２２３へ導くようになっている。第２及び第３ミラー２２３，２２４は、それぞれ、第２及び第３ミラー２２３，２２４からの反射光を第３及び第４ミラー２２４，２２５に導くようになっている。第４ミラー２２５は、第３ミラー２２４からの反射光を集光レンズ２２６に導くようになっている。集光レンズ２２６は、第４ミラー２２５からの光をＣＣＤ２０５の受光面２０５ａに集光するようになっている。そして、ＣＣＤ２０５は、集光レンズ２２６からの光（原稿画像光）を受光面２０５ａで受光して１ライン毎に繰り返し主走査方向Ｘに走査する。
【０１２１】
本実施の形態では、画像読取装置１００は、原稿移動読取モードにおいて、表面用光源ユニット２２０ｄで一方の面（表面）を読み取り可能とされている。
【０１２２】
詳しくは、画像読取装置１００は、前記の構成に加えて、表面用光源ユニット２２０ｄを備えている。表面用光源ユニット２２０ｄは、読取位置Ｖ０が光源ユニット２２０の読取位置Ｖ１よりも搬送方向Ｙ３の上流側に位置するように自動原稿送り装置３００内に固定されて支持されている。表面用光源ユニット２２０ｄは、光源ユニット２２０と光学的構成が同じものとされており、同じ光学的構成要素には同一符号を付し、その説明を省略する。ＣＣＤ２２８は、集光レンズ２２６からの光（原稿画像光）を受光面２２８ａで受光して繰り返し１ライン毎に主走査方向Ｘに走査する。
【０１２３】
以上説明した画像読取装置１００では、原稿トレイ３０１に原稿Ｇが載置されていない場合に原稿固定読取モードによって原稿台ガラス２０７に載置された原稿Ｇの読み取り指示がなされる。そうすると、光源ユニット２２０は、原稿台ガラス２０７を介して原稿台ガラス２０７に載置された原稿Ｇに対して光を照射しながら一定の速度で副走査方向Ｙの他方側Ｙ２に移動して読取領域Ｖ２で原稿Ｇの画像を読み取る（図２参照）。
【０１２４】
具体的には、光学系駆動部５３０にて光学ユニット２１０が初期位置の読取位置Ｖ１から副走査方向Ｙの他方側Ｙ２に移動して、読取領域Ｖ２に移行する。そして、光源ユニット２２０にて照明されて原稿Ｇから反射された反射光は、第１から第４ミラー２２２〜２２５で反射されたのち、集光レンズ２２６を介してＣＣＤ２０５の受光面２０５ａに結像され、ここで原稿画像光が読み取られてアナログ信号に変換される。
【０１２５】
一方、原稿トレイ３０１に原稿Ｇが載置されている場合には原稿移動読取モードによって原稿トレイ３０１に載置された原稿Ｇの読み取り指示がなされる。そうすると、通常モードでは切換部材３１４が第１切換状態にされ、光学ユニット２１０を読取位置Ｖ１に静止させたまま、自動原稿送り装置３００によって原稿Ｇを読取位置Ｖ１へ向けて副走査方向Ｙの一方側Ｙ１（搬送方向Ｙ３）に搬送して原稿Ｇの画像を読み取る（図６Ａ参照）。
【０１２６】
具体的には、原稿トレイ３０１に載置された原稿Ｇは、ピックアップローラ３０６によって取り出され、サバキローラ３０７及び分離部材３０８によって１枚ずつに分離され、第１搬送経路３０３に搬送される。第１搬送経路３０３に搬送された原稿Ｇは、レジストローラ対３０９によって、斜行防止のために先端が揃えられると共に、規定の読み取りタイミングで送り出され、上流側搬送ローラ対３０４ａ，３０４ｂを経て原稿読取ガラス２０６へと搬送される。そして、原稿読取ガラス２０６上を通過した原稿Ｇの一方の面（オモテ面）に、表面用光源ユニット２２０ｄからの光が原稿読取ガラス２０６を介して照射されて該一方の面で反射される。この原稿Ｇの一方の面から反射された光は、前述の原稿固定読取モードと同様に、第１から第４ミラー２２２〜２２５によって反射された後、集光レンズ２２６を介してＣＣＤ２２８の受光面２２８ａに結像され、ここで原稿画像が読み取られてアナログ信号に変換される。
【０１２７】
読み取りが終了した原稿Ｇは、下流側搬送ローラ対３０５ａ，３０５ｂによって読取ガラス２０６上から引き出され、第１搬送経路３０３を経て排出ローラ対３１０によって排出トレイ３０２上に排出される。
【０１２８】
なお、原稿Ｇの一方の面と他方の面との両面を読み取る場合には、光源ユニット２２０を用いるが、この読み取り動作については前述した表面用光源ユニット２２０ｄと同様であり、ここでは説明を省略する。
【０１２９】
また、原稿移動読取モードの特殊原稿読取モードによる原稿Ｇの読み取り指示がなされる場合には、切換部材３１４が第２切換状態にされ、前記と同様にして読み取りが終了した原稿Ｇは、下流側搬送ローラ対３０５ａ，３０５ｂによって読取ガラス２０６上から引き出され、特殊原稿用排出搬送経路３１１を経て特殊原稿用排出ローラ対３１２によって特殊原稿用排出トレイ３１３上に排出される。
【０１３０】
［ガイド部材について］
ところで、画像読取装置１００においては、原稿読取ガラス２０６における読取位置Ｖ１での読み取り前後に直線状の搬送経路３０３ａ，３０３ｂが形成されており、名刺やカードなどの特殊原稿Ｇを確実に搬送することができるため、特殊原稿Ｇの搬送性を向上させることができる。しかし、かかる構成では、上流側搬送ローラ対３０４ａ，３０４ｂ、下流側搬送ローラ対３０５ａ，３０５ｂのうち、原稿読取側に位置する従動ローラ３０４ｂ，３０５ｂに対してスペースを設ける関係で、原稿読取ガラス２０６における第１の読取面２０６ａが読取高さ方向Ｚにおいて原稿台ガラス２０７における第２の読取面２０７ａを基準にして原稿読取側とは反対側に後退して配置されている。そうすると、原稿読取ガラス２０６における第１の読取面２０６ａと原稿台ガラス２０７における第２の読取面２０７ａとで段差Ｓが生じ、これにより読取高さが異なってしまう。
【０１３１】
このため、本実施の形態に係る画像読取装置１００は、ガイド部材４００を備えている。
【０１３２】
ガイド部材４００は、読取位置Ｖ１に位置する光学ユニット２１０と第１の読取面２０６ａとの間の第１の距離Ｓ１（図６Ａ参照）と、読取領域Ｖ２に位置する光学ユニット２１０と第２の読取面２０７ａとの間の第２の距離Ｓ２（図２及び図５参照）とを維持する（等しくする）ように光学ユニット２１０を案内するようになっている。
【０１３３】
詳しくは、ガイド部材４００は、副走査方向Ｙにおいて原稿移動読取構成での読取位置Ｖ１と原稿固定読取構成での読取領域Ｖ２との間で光学ユニット２１０を読取高さ方向Ｚに変位させる変位部（以下、傾斜部という）４１０と、傾斜部４１０によって変位された光学ユニット２１０を第１の読取面２０６ａと第２の読取面２０７ａとのうち何れか一方の読取面（ここでは、後述するように第１の読取面２０６ａ）に対向させる対向部（以下、平坦部という）４２０とを有している。
【０１３４】
また、光学ユニット２１０は、光学ユニット２１０から突出されてガイド部材４００に当接される当接部２３０を有している。
【０１３５】
本実施の形態では、傾斜部４１０は、光学ユニット２１０の副走査方向Ｙへの移動に伴い当接部２３０に摺接される。また、傾斜部４１０は、読取位置Ｖ１と読取領域Ｖ２との間で光学ユニット２１０が水平方向に配置された読取面２０６ａ，２０７ａに対して傾斜して移動するように形成された傾斜面ｆ１を有している。平坦部４２０は、光学ユニット２１０の副走査方向Ｙへの移動に伴い当接部２３０に摺接され、かつ、傾斜面ｆ１に連設された平坦面ｆ２を有している。平坦面ｆ２は、第１の読取面２０６ａに平行な面とされている。
【０１３６】
傾斜部４１０は、ここでは、読取位置Ｖ１に向かうに従って傾斜が急になるように傾斜面ｆ１（ｆ１ａ，ｆ１ｂ）が段階的に形成されている。
【０１３７】
また、段階的に形成された傾斜面ｆ１（ｆ１ａ，ｆ１ｂ）において隣り合う傾斜面ｆ１ａ，ｆ１ｂの間に、傾斜面ｆ１ａ，ｆ１ｂよりも緩やかな緩衝面、或いは、平坦面ｆ２に平行な緩衝面ｆ１ｃが形成されている。つまり、隣り合う傾斜面ｆ１ａ及び傾斜面ｆ１ｂに緩衝面ｆ１ｃが連設されている。
【０１３８】
本実施の形態では、傾斜面ｆ１は、当接部２３０との摺接によって光学ユニット２１０が副走査方向Ｙで原稿移動読取構成での読取位置Ｖ１に近づくにつれて光学ユニット２１０が読取高さ方向Ｚで原稿読取ガラス２０６における第１の読取面２０６ａに近づくように形成されている。平坦面ｆ２は、傾斜部４１０によって変位された光学ユニット２１０が読取位置Ｖ１で原稿読取ガラス２０６における第１の読取面２０６ａに対向するように形成されている。すなわち、平坦面ｆ２は、当接部２３０との摺接によって傾斜部４１０からの光学ユニット２１０が第１の読取面２０６ａに対向するように形成されている。
【０１３９】
本実施の形態では、光学ユニット２１０は、さらに、光源ユニット２２０を支持するキャリッジベース（基台の一例）２２７を備えている。そして、当接部２３０は、キャリッジベース２２７に設けられている。
【０１４０】
具体的には、当接部２３０は、キャリッジベース２２７の裏面２２７ｃに設けられており、裏面２２７ｃから枠体２０２の底面２０２ａに向けて延びている。ここでは、キャリッジベース２２７と当接部２３０とは一体的に形成されている。
【０１４１】
キャリッジベース２２７は、光源ユニット２２０を載置可能なトレイ状のものとされている。キャリッジベース２２７は、その裏面２２７ｃにベルト５３５を主走査方向Ｘの両側で挟持して固定する挟持部材２２７ｄ（図４参照）が設けられている。
【０１４２】
変位摺動部５４１は、ガイド部材４００による読取高さ方向Ｚへの光学ユニット２１０の変位分（ここでは１０ｍｍ）の移動を許容するように構成されている。
【０１４３】
本実施の形態では、変位摺動部５４１には、副走査方向Ｙに沿って貫通した貫通穴が設けられ、その貫通穴に軸受部材５４２が保持（ここでは圧入）されている。
【０１４４】
また、変位摺動部５４１は、キャリッジベース２２７において、一方側Ｙ１に設けられた一方の変位摺動部５４１ａと、他方側Ｙ２に設けられた他方の変位摺動部５４１ｂとからなる一対の変位摺動部５４１ａ，５４１ｂとされている。一対の変位摺動部５４１ａ，５４１ｂは、副走査方向Ｙの両端部に設けられている。
【０１４５】
軸受部材５４２は、一方の変位摺動部５４１ａに設けられた一方の軸受部材５４２ａと、他方の変位摺動部５４１ｂに設けられた他方の軸受部材５４２ｂとからなる一対の軸受部材５４２ａ，５４２ｂとされている。
【０１４６】
軸受部材５４２は、スライドシャフト５４０を挿通する長穴形状の貫通穴５４２ｄを有している。貫通穴５４２の長穴形状は、ここでは、読取高さ方向Ｚに平行な二つの内平面と、該二つの内平面を読取高さ方向Ｚの両端でそれぞれつなぐ側面視で（副走査方向Ｙから視て）円弧状（具体的には半円状）の二つの内曲面とからなる形状とされている。
【０１４７】
そして、変位摺動部５４１は、軸受部材５４２を間にしてスライドシャフト５４０を副走査方向Ｙに移動自在に挿通している。なお、変位摺動部５４１は、後述するようにスライドシャフト５４０を直接挿通してもよいが、変位摺動部５４１の移動に伴う摺動性をよくするため、スライドシャフト５４０と変位摺動部５４１との間に変位摺動部５４１とは別部材の軸受部材５４２を設けている。
【０１４８】
本実施の形態では、長穴形状の貫通穴５４２ｄの長手方向（読取高さ方向Ｚ）における径ｒ１（図４参照）は、スライドシャフト５４０の直径（ここでは６ｍｍ）と、読取高さ方向Ｚへの光学ユニット２１０の変位分（ここでは１０ｍｍ）とを加算した値にマージン（例えば１ｍｍ程度）を加えた径（ここでは１７ｍｍ程度）とされている。すなわち、スライドシャフト５４０が挿通された軸受部材５４２における長穴の空間の読取高さ方向Ｚの長さは１１ｍｍ程度となっている。
【０１４９】
また、摺動部５４２ｄは、主走査方向Ｘへの光学ユニット２１０の移動を規制するように構成されている。
【０１５０】
本実施形態では、長穴形状の貫通穴５４２ｄの短手方向（主走査方向Ｘ）における径ｒ２（図４参照）はスライドシャフト５４０の径（ここでは６ｍｍ）にマージン（例えば１ｍｍ程度）を加えた径（ここでは７ｍｍ程度）とされている。
【０１５１】
スライドシャフト５４０の材料としては、金属材料、例えば、ステンレススチール（ＳＵＳ）材や、快削鋼（ＳＵＭ）材を用いることができる。スライドシャフト５４０の材料としてＳＵＭ材等の錆びやすい金属材料を用いる場合には、錆び防止のためにめっき処理（例えばニッケル（Ｎｉ）めっき処理）を施すことができる。
【０１５２】
軸受部材５４２の材料としては、摺動性に優れた樹脂材料（例えば、ポリアセタール（ＰＯＭ）樹脂）や、焼結体（成形した粉末粒子を融点よりも低い温度で加熱して固めたもの）、或いは、金属材料を用いることができる。
【０１５３】
光源ユニット２２０の外装ケース及びキャリッジベース２２７の材料としては、剛性の優れた樹脂材料（例えば、繊維強化樹脂）を用いることができる。なお、繊維強化樹脂としては、ガラス繊維などの繊維を樹脂材料に混合して強度を向上させた複合材料、代表的には、ガラス繊維強化ＡＢＳ（アクリロニトリル・ブタジエン・スチレン）樹脂を例示できる。
【０１５４】
本実施の形態では、光学ユニット２１０は、光源ユニット２２０を確実にキャリッジベース２２７に保持するための付勢部材（ここではスプリング）２１１（図４参照）を備えている。スプリング２１１は、光源ユニット２２０をキャリッジベース２２７の側へ付勢するようになっている。具体的には、スプリング２１１は、一端が光源ユニット２２０（ここでは主走査方向Ｘの両側の外側面上部２２０ｂ）に接続され、かつ、他端がキャリッジベース２２７（ここでは底面２２７ｅ）に接続されている。
【０１５５】
なお、ＣＣＤ２０５が光源ユニット２２０とは別の場所に設けられている場合には、光学ユニット２１０の副走査方向Ｙへの移動によって光学ユニット２１０を読取高さ方向Ｚへ変位させると、光学ユニット２１０における光源ユニット２２０の変位に合わせてＣＣＤ２０５を読取高さ方向Ｚへ変位させるといった構成の如く光学ユニット２１０とＣＣＤ２０５との間で光路を合わせる変位機構を設けない限り、光学ユニット２１０からの光路がＣＣＤ２０５に対してずれることになる。かかる観点から、ＣＣＤ２０５は、光源ユニット２２０に設けられている。
【０１５６】
本実施の形態では、当接部２３０は、キャリッジベース２２７の主走査方向Ｘにおいて、一方側に設けられた一方の当接部２３０ａと、他方側に設けられた他方の当接部２３０ｂとからなっている。そして、ガイド部材４００は、主走査方向Ｘの両端部に配置される一対のガイド部材４００ａ，４００ｂとされている。
【０１５７】
すなわち、傾斜部４１０及び平坦部４２０は、それぞれ、枠体２０２の底面２０２ａの主走査方向Ｘにおいて、一方の当接部２３０ａに対応して一方側に設けられた一方の傾斜部４１０ａ及び一方の平坦部４２０ａと、他方の当接部２３０ｂに対応して他方側に設けられた他方の傾斜部４１０ｂ及び他方の平坦部４２０ｂとからなっている。
【０１５８】
具体的には、一方のガイド部材４００ａは主走査方向Ｘ及び副走査方向Ｙにずれるように設けられた複数（ここでは第１及び第２の二つ）のガイド部材４０１ａ，４０２ａとされており、他方のガイド部材４００ｂは、単一のガイド部材とされている。このため、一方の当接部２３０ａは主走査方向Ｘ及び副走査方向Ｙにずれるように設けられた複数（ここでは第１及び第２の二つ）の当接部２３１ａ，２３２ａとされており、当接部２３０ｂは、単一の当接部とされている。
【０１５９】
詳しくは、一方の傾斜部４１０ａは、主走査方向Ｘの外側かつ副走査方向Ｙの他方側Ｙ２に設けられた第１の傾斜部４１１ａと、主走査方向Ｘの内側かつ副走査方向Ｙの一方側Ｙ１に設けられた第２の傾斜部４１２ａとからなっている。また、一方の平坦部４２０ａは、第１の傾斜部４１１ａに対して副走査方向Ｙの一方側Ｙ１に連設された第１の平坦部４２１ａと、第２の傾斜部４１２ａに対して副走査方向Ｙの一方側Ｙ１に連設された第２の平坦部４２２ａとからなっている。
【０１６０】
これに対応して、一方の当接部２３０ａは、キャリッジベース２２７における主走査方向Ｘの外側かつ副走査方向Ｙの他方側Ｙ２に設けられた第１の当接部２３１ａと、キャリッジベース２２７における主走査方向Ｘの内側かつ副走査方向Ｙの一方側Ｙ１に設けられた第２の当接部２３２ａとからなっている。
【０１６１】
なお、第１のガイド部材４０１ａ及び当接部２３１ａは、主走査方向Ｘの内側に設けられ、第２のガイド部材４０２ａ及び当接部２３２ａは、主走査方向Ｘの外側に設けられてもよい。また、第１のガイド部材４０１ａ及び当接部２３１ａは、副走査方向Ｙの一方側Ｙ１に設けられ、第２のガイド部材４０２ａ及び当接部２３２ａは、副走査方向Ｙの他方側Ｙ２に設けられてもよい。
【０１６２】
本実施の形態では、傾斜部４１０及び平坦部４２０は、光学ユニット２１０の副走査方向Ｙへの移動にあたって光源ユニット２２０の姿勢が維持されるように構成されている。
【０１６３】
詳しくは、第１及び第２の当接部２３１ａ，２３２ａ並びに他方の当接部２３０ｂは、読取高さ方向Ｚの先端の高さが何れも同じとされている。そして、第１及び第２の傾斜部４１１ａ，４１２ａ並びに他方の傾斜部４１０ｂは、傾斜面ｆ１，ｆ１の読取高さ方向Ｚの高さ、傾斜面ｆ１の副走査方向Ｙの距離Ｗ、傾斜面ｆ１の水平に対する傾斜角度が何れも同じとされている。第１及び第２の平坦部４２１ａ，４２２ａにおける平坦面ｆ２，ｆ２並びに他方の平坦部４２０ｂにおける平坦面ｆ２は、何れも平行とされている。しかも、第１及び第２の傾斜部４１１ａ，４１２ａ並びに他方の傾斜部４１０ｂは、光学ユニット２１０の副走査方向Ｙへの移動にあたり、第１及び第２の傾斜部４１１ａ，４１２ａにおける傾斜面ｆ１，ｆ１並びに他方の傾斜部４１０ｂにおける傾斜面ｆ１がそれらに対応する第１及び第２の当接部２３１ａ，２３２ａ並びに他方の当接部２３０ｂに接触するタイミングが同じになるように配置されている。
【０１６４】
すなわち、図２及び図５を参照しながら説明すると、第１及び第２の当接部２３１ａ，２３２ａの副走査方向ＹのピッチＰＴ１に対して、第１及び第２の傾斜部４１１ａ，４１２ａにおける傾斜面ｆ１，ｆ１の副走査方向ＹのピッチＰＴ１が同一とされている。また、第１及び第２の当接部２３１ａ，２３２ａと他方の当接部２３０ｂとの副走査方向ＹのピッチＰＴ２，ＰＴ３に対して、第１及び第２の傾斜部４１１ａ，４１２ａにおける傾斜面ｆ１，ｆ１と他方の傾斜部４１０ｂにおける傾斜面ｆ１との副走査方向ＹのピッチＰＴ２，ＰＴ３がそれぞれ同一とされている。
【０１６５】
本実施の形態では、第１及び第２の当接部２３１ａ，２３２ａ並びに他方の当接部２３０ｂには、転動部材（具体的には第１から第３コロＲ１，Ｒ２，Ｒ３）がそれぞれ設けられている。第１コロＲ１は、第１の傾斜部４１１ａにおける傾斜面ｆ１及び第１の平坦部４２１ａにおける平坦面ｆ２を転動するようになっている。第２コロＲ２は、第２の傾斜部４１２ａにおける傾斜面ｆ１及び第２の平坦部４２２ａにおける平坦面ｆ２を転動するようになっている。第３コロＲ３は、他方の傾斜部４１０ｂにおける傾斜面ｆ１及び他方の平坦部４２０ｂにおける平坦面ｆ２を転動するようになっている。
【０１６６】
具体的には、第１及び第２の当接部２３１ａ，２３２ａ並びに他方の当接部２３０ｂの先端部には、それぞれ、主走査方向Ｘの両側で枠体２０２の底面２０２ａに向けて突出した支持部ｈ１，ｈ２，ｈ３が設けられている。各支持部ｈ１，ｈ２，ｈ３には、主走査方向Ｘに沿ってコロ軸ｋ１，ｋ２，ｋ３がそれぞれ架設支持されている。この各コロ軸ｋ１，ｋ２，ｋ３に、各コロＲ１，Ｒ２，Ｒ２がそれぞれ回転自在に挿通されている。
【０１６７】
本実施の形態では、画像読取装置１００は、光学ユニット２１０を副走査方向Ｙに移動自在に支持するレール部材５５０をさらに備えている。
【０１６８】
レール部材５５０は、ここでは、副走査方向Ｙに延びるスライドレールとされており、枠体２０２（具体的には底面２０２ａ）に支持されている。スライドレール５５０は、副走査方向Ｙに延びるスライド板と、その主走査方向Ｘの両端から枠体２０２の底面２０２ａに向けて延びる一対の側板とからなる断面視コの字型の部材とされている。そして、キャリッジベース２２７には、スライドレール５５０上を摺動する摺動部材５６０が設けられている。
【０１６９】
具体的には、スライドレール５５０は、摺動部材５６０と摺接する摺接面５５０ａを有している。摺動部材５６０は、キャリッジベース２２７の裏面２２７ｃに設けられており、スライドレール５５０に対して副走査方向Ｙに摺接しつつキャリッジベース２２７を支持するようになっている。摺動部材５６０は、スライドレール５５０の摺接する部分（摺接面５５０ａ）に対して少なくとも表面が摩擦係数の小さいかつ硬度の大きい材料で形成されることが好ましい。
【０１７０】
なお、スライドレール５５０と傾斜部４１０と平坦部４２０とのうち少なくとも二つが一体的に形成とされていることが好ましい。こうすることで、当該画像読取装置１００の低コスト化を実現することが可能となる。本実施の形態では、第１の傾斜部４１１ａと第１の平坦部４２１ａとが一体的に形成されており、第２の傾斜部４１２ａと第２の平坦部４２２ａとが一体的に形成されており、また、他方の傾斜部４１０ｂと他方の平坦部４２０ｂとが一体的に形成されている。
【０１７１】
また、当該画像読取装置１００のさらなる低コスト化を実現するという観点から、スライドレール５５０と、第１の傾斜部４１１ａ及び第１の平坦部４２１ａと、第２の傾斜部４１２ａ及び第２の平坦部４２２ａとが一体的に形成されていてもよい。また、スライドレール５５０と、第１の傾斜部４１１ａ及び第１の平坦部４２１ａと、第２の傾斜部４１２ａ及び第２の平坦部４２２ａと、他方の傾斜部４１０ｂ及び他方の平坦部４２０ｂと、枠体２０２とが一体的に形成されていてもよい。
【０１７２】
なお、このように一体形成する場合、製造の容易さの観点から、一体形成される各部材は樹脂材料とすることが好ましい。
【０１７３】
以上説明した画像読取装置１００では、光学ユニット２１０は、光学系駆動部５３０によって、光源ユニット２２０を支持したキャリッジベース２２７を介してスライドシャフト５４０及びスライドレール５５０に摺動されつつ副走査方向Ｙに往復移動される。
【０１７４】
図２に示すように、光学ユニット２１０に設けられた当接部２３０がフリーの状態でガイド部材４００を構成する傾斜部４１０及び平坦部４２０に当接しておらず、光学ユニット２１０が少なくとも読取領域Ｖ２に位置しているときには（原稿固定読取モード）、光学ユニット２１０がスライドシャフト５４０に対して最も低い位置に配置（保持）され、原稿台ガラス２０７における第２の読取面２０７ａとの間の第２の距離Ｓ２が確保される。
【０１７５】
また、当接部２３０が傾斜部４１０に当接するときには、光学ユニット２１０が副走査方向Ｙで読取位置Ｖ１に近づく（又は遠ざかる）につれて光学ユニット２１０が読取高さ方向Ｚで第１の読取面２０６ａに近づき（又は遠ざかり）、光学ユニット２１０がスライドシャフト５４０に対して次第に離間（又は接近）していく。
【０１７６】
そして、図６Ａに示すように、当接部２３０が平坦部４２０に当接し、光学ユニット２１０が少なくとも読取位置Ｖ１に位置しているときには（原稿移動読取モード）、光学ユニット２１０がスライドシャフト５４０に対して最も高い位置（原稿固定読取モードでの最も低い位置に対して段差Ｓの分だけ高い位置）に配置され、原稿読取ガラス２０６における第１の読取面２０６ａとの間の第１の距離Ｓ１が第２の距離Ｓ２と同一距離にされる。
【０１７７】
このように、本実施の形態に係る画像読取装置１００によれば、第１の読取面２０６ａと第２の読取面２０７ａとで読取高さが異なっていても、ガイド部材４００によって、読取位置Ｖ１に位置する光学ユニット２１０と原稿読取ガラス２０６における第１の読取面２０６ａとの間の第１の距離Ｓ１と、読取領域Ｖ２に位置する光学ユニット２１０と原稿台ガラス２０７における第２の読取面２０７ａとの間の第２の距離Ｓ２とを維持するように光学ユニット２１０を案内するので、第１の距離Ｓ１と第２の距離Ｓ２とを維持させる（同一長さにする）ことができ、ひいては、読取位置Ｖ１に位置する光学ユニット２１０から出射された光が第１の読取面２０６ａを経てＣＣＤ２０５へ到達する第１の光路長Ｌ１と、読取領域Ｖ２に位置する光学ユニット２１０から出射された光が第２の読取面２０７ａを経てＣＣＤ２０５へ到達する第２の光路長Ｌ２とを維持させる（同一長さにする）ことができる。これにより、ＣＣＤ２０５で光量が不足したり焦点が合わなかったりといった光学性能を損なうことなく、良好に原稿画像を読み取ることが可能となる。
【０１７８】
しかも、ガイド部材４００を備えているので、原稿移動読取構成と前記原稿固定読取構成とで別々に光学ユニット２１０を設ける必要がなく、これにより、装置構成を簡素化することができ、それだけコストを低く抑えることができる。
【０１７９】
また、スライドシャフト５４０を備えているので、スライドシャフト５４０が光学ユニット２１０を副走査方向Ｙに摺動自在に支持することで、光学ユニット２１０を副走査方向Ｙに安定して往復移動させることができる。さらに、光学ユニット２１０は変位摺動部５４１を有しているので、変位摺動部５４１がガイド部材４００による読取高さ方向Ｚへの光学ユニット２１０の変位分の移動を許容することで、ガイド部材４００によって光学ユニット２１０が読取高さ方向Ｚへ変位しても、光学ユニット２１０を支障なく案内することができる。ここでは、変位摺動部５４１は、キャリッジベース２２７の副走査方向Ｙの両端部に設けられた一対の変位摺動部５４１ａ，５４１ｂとされているので、スライドシャフト５４０に対する安定した摺動を実現できる。
【０１８０】
また、変位摺動部５４１における軸受部材５４２（ここでは一対の軸受部材５４２ａ，５４２ｂ）に設けられた長穴形状の貫通穴５４２ｄにスライドシャフト５４０が挿通されるので、光学ユニット２１０における変位摺動部５４１のスライドシャフト５４０からの脱落を防止することができる。つまり、光学ユニット２１０を昇降させても軸受部材５４２の貫通穴５４２ｄが長穴であるため、光学ユニット２１０がスライドシャフト５４０から外れることはない。さらに、変位摺動部５４１に軸受部材５４２が設けられているので、光学ユニット２１０を昇降させたときの振動等の影響を軽減させることができる。しかも、軸受部材５４２を用いることで、光学ユニット２１０の読取高さ方向Ｚの位置精度を長期にわたり維持しつつ光学ユニット２１０を副走査方向Ｙに円滑にかつ安定して往復移動させることができる。
【０１８１】
また、変位摺動部５４１が主走査方向Ｘへの光学ユニット２１０の移動を規制することで、例えば、光学ユニット２１０が副走査方向Ｙに移動する際、光学ユニット２１０が斜めに移動することを防止することができる。これにより、光学ユニット２１０の主走査方向Ｘの位置精度を向上させることができる。
【０１８２】
図６Ｂは、図１に示す光学ユニット２１０における変位摺動部５４１の変形例を示す概略側面図である。図６Ｂ（ａ）は、変位摺動部５４１の一例を示しており、図６Ｂ（ｂ）は、他の例を示しており、図６Ｂ（ｃ）は、図６Ｂ（ａ）に示す例の他の例を示しており、図６Ｂ（ｄ）は、図６Ｂ（ｂ）に示す例の他の例を示している。
【０１８３】
本実施の形態では、軸受部材５４２を用いたが、図６Ｂ（ａ）に示すように、変位摺動部５４１に直接スライドシャフト５４０を挿通する長穴形状の貫通穴５４２ｄが設けられていてもよいし、図６Ｂ（ｂ）に示すように、貫通穴５４２ｄが長方形状とされていてもよい。また、図６Ｂ（ａ）及び図６Ｂ（ｂ）に示す形状において、図６Ｂ（ｃ）及び図６Ｂ（ｄ）に示すように、軸受部材５４２の先端側（図中下側）が開放されていてもよい。こうすることで、光学ユニット２１０の取り付け等の作業性や、交換作業等のメンテナンス性を向上させることができる。また、軸受部材５４２の先端側が開放されている構成において、内側の形状に沿って摺動部材が設けられていてもよい。かかる摺動部材は、軸受部材５４２と同様の役目を果たすことができる。
【０１８４】
但し、変位摺動部５４１の形状は、図６Ｂ（ａ）から図６Ｂ（ｄ）の形状に限定されるものではない。
【０１８５】
ところで、変位摺動部５４１が光学ユニット２１０の読取高さ方向Ｚへの変位するが、駆動プーリ５３２及び従動プーリ５３４は、読取高さ方向Ｚで固定されたままなので、図６Ａに示すように、ベルト５３５に対して読取高さ方向Ｚに規制がかかり、ベルト５３５がキャリッジベース２２７の挟持部材２２７ｄでの固定部を頂点に屈曲した状態となる。
【０１８６】
この点に関し、ベルト５３５は、ゴム等の柔軟性材料を含む材料で形成されているため、ベルト５３５の副走査方向Ｙの長さや張りの程度にもよるが、例えば、光学ユニット２１０の読取高さ方向Ｚへの変位分が１０ｍｍ程度以下であれば、ベルト５３５の読取高さ方向Ｚへのたわみにより、光学ユニット２１０の読取高さ方向Ｚへの変位を許容することが可能である。
【０１８７】
本実施の形態においては、副走査方向Ｙにおいて一対の変位摺動部５４１ａ、５４１ｂの間（好ましくは中央部）でベルト５３５を固定している。こうすることで、副走査方向Ｙに移動される光学ユニット２１０が読取高さ方向Ｚに変位するときに、光学ユニット２１０に対してベルト５３５による読取高さ方向Ｚの負荷がかかったとしても、副走査方向Ｙにおける一対の変位摺動部５４１ａ，５４１ｂの間（好ましくは中央部）でベルト５３５による負荷を受けることができ、光学ユニット２１０を安定して副走査方向Ｙに移動させることができる。
【０１８８】
本実施の形態では、変位摺動部５４１を一対のものとしたが、変位摺動部５４１は単一のものであってもよい。この場合、副走査方向Ｙにおいて単一の変位摺動部５４１に対してオーバーラップする位置（好ましくは中央部）にベルト５３５を固定することが好ましい。また、変位摺動部５４１は、光学ユニット２１０の副走査方向Ｙにおける中央部に設けられることが好ましい。
【０１８９】
また、光学ユニット２１０へのベルト５３５の保持構成として、副走査方向Ｙへの移動を規制する一方、読取高さ方向Ｚへの移動を許容するように光学ユニット２１０にベルト５３５を保持する構成を例示できる。こうすることで、ベルト５３５の読取高さ方向Ｚの位置を維持した状態で光学ユニット２１０を読取高さ方向Ｚへ変位させることができ、これにより、光学ユニット２１０へのベルト５３５による読取高さ方向Ｚの負荷を軽減させることができる。
【０１９０】
また、本実施の形態では、キャリッジベース２２７と光源ユニット２２０とをそれぞれ別体のものとしたが、キャリッジベース２２７と光源ユニット２２０とが一体のものであってもよい。
【０１９１】
また、本実施の形態においては、ガイド部材４００は、傾斜部４１０と平坦部４２０とを有しているので、装置構成をさらに簡素化することが可能となる。
【０１９２】
また、本実施の形態のように、第１の読取面２０６ａが読取高さ方向Ｚにおいて第２の読取面２０７ａを基準にして原稿読取側とは反対側に後退して配置されていることで、原稿読取ガラス２０６における読取位置Ｖ１での読み取り前後で原稿Ｇを搬送するために、読取位置Ｖ１を基準にして原稿Ｇの搬送方向Ｙ３の上流側及び下流側にそれぞれ設けられる従動ローラ３０４ｂ，３０５ｂに対してスペースを設けることができる。
【０１９３】
従って、原稿移動読取構成において特殊原稿読取モードを実行する構成を好適に用いることができる。これにより、特殊原稿を確実に搬送することができ、特殊原稿の搬送性を向上させることが可能となる。
【０１９４】
特に、本実施の形態では、原稿読取ガラス２０６における読取位置Ｖ１での読み取り前後の搬送経路が直線状の搬送経路３０３ａ，３０３ｂとされているので、特殊原稿をさらに確実に搬送することができ、それだけ特殊原稿の搬送性を向上させることが可能となる。
【０１９５】
そして、傾斜面ｆ１は、当接部２３０との摺接によって光学ユニット２１０が副走査方向Ｙで原稿移動読取構成での読取位置Ｖ１に近づくにつれて光源ユニット２２０が読取高さ方向Ｚで第１の読取面２０６ａに近づくように形成されており、平坦面ｆ２は、当接部２３０との摺接によって傾斜部４１０からの光学ユニット２１０が第１の読取面２０６ａに対向するように形成されていることで、第１の距離Ｓ１と第２の距離Ｓ２とを維持させることができる。
【０１９６】
また、本実施の形態においては、傾斜面ｆ１は、読取位置Ｖ１に向かうに従って傾斜が急になるように段階的に形成されているので、読取位置Ｖ１と読取領域Ｖ２との間の距離を可及的に短くして副走査方向Ｙのコンパクト化を実現しながらも、光学ユニット２１０が副走査方向Ｙの一方側Ｙ１へ移動して傾斜部４１０に突入したときに、その衝撃を段階的に形成された傾斜面ｆ１（ｆ１ａ，ｆ１ｂ）で和らげることが可能となる。すなわち、光学ユニット２１０の突入による傾斜部４１０への衝撃を傾斜面ｆ１の登り端部側βに形成された傾斜面ｆ１ａから段階的に和らげることができる。
【０１９７】
しかも、段階的に形成された傾斜面ｆ１（ｆ１ａ，ｆ１ｂ）において隣り合う傾斜面ｆ１ａ，ｆ１ｂの間に、隣り合う傾斜面ｆ１ａ，ｆ１ｂより緩やかな緩衝面ｆ１ｃ、或いは、第１の読取面２０６ａに平行な緩衝面ｆ１ｃが設けられているので、光学ユニット２１０の突入による傾斜面ｆ１への衝撃をさらに緩衝面ｆ１ｃで和らげることができる。
【０１９８】
また、本実施の形態においては、光学ユニット２１０は、光源２２１を有する光源ユニット２２０と、光源ユニット２２０を読取高さ方向Ｚに移動自在に支持するキャリッジベース２２７とを備え、当接部２３０が光源ユニット２２０に設けられているので、光学ユニット２１０の副走査方向Ｙへの移動にあたり、キャリッジベース２２７に対して光源ユニット２２０を読取高さ方向Ｚに変位させることができる。従って、光源ユニット２２０を読取高さ方向Ｚに変位させても、キャリッジベース２２７を副走査方向Ｙへ移動させるための既存の構成（例えば光学系駆動部５３０等の移動機構）を採用することができ、それだけコストを低く抑えつつ第１の距離Ｓ１と第２の距離Ｓ２とを維持させる構成を容易に実現することが可能となる。
【０１９９】
また、本実施の形態においては、ＣＣＤ２０５が光源ユニット２２０に設けられているので、光源ユニット２２０の副走査方向Ｙへの移動によってキャリッジベース２２７に対して光源ユニット２２０を読取高さ方向Ｚへ変位させても、光源ユニット２２０からの光路がＣＣＤ２０５に対してずれるという不都合を回避することが可能となる。しかも、光学ユニット２１０とＣＣＤ２０５との間で光路を合わせる変位機構を設ける必要がない。
【０２００】
また、本実施の形態においては、ガイド部材４００が主走査方向Ｘの両側に配置される一対のガイド部材４００ａ，４００ｂとされているので、光学ユニット２１０の副走査方向Ｙへの移動によって光源ユニット２２０を読取高さ方向Ｚへ変位させるにあたり、光源ユニット２２０を主走査方向Ｘの両側で安定的に案内することが可能となる。
【０２０１】
また、本実施の形態においては、一方のガイド部材４００ａは主走査方向Ｘ及び副走査方向Ｙにずれるように設けられた複数のガイド部材４０１ａ，４０２ａとされ、他方のガイド部材４００ｂは、単一のガイド部材とされているので、光学ユニット２１０の副走査方向Ｙへの移動によって光源ユニット２２０を読取高さ方向Ｚへ変位させるにあたり、光源ユニット２２０を主走査方向Ｘの両側と副走査方向Ｙとで安定的に案内することができる。特に、本実施の形態では、一方のガイド部材４００ａが第１及び第２の二つのガイド部材４０１ａ，４０２ａとされているので、少ない構成要素でありながら安定性に優れる３点支持で光源ユニット２２０を安定的に案内することができる。
【０２０２】
また、本実施の形態においては、傾斜部４１０及び平坦部４２０は、光学ユニット２１０の副走査方向Ｙへの移動によって光源ユニット２２０が読取高さ方向Ｚへ変位するときでも光源ユニット２２０の姿勢が維持されるように構成されているので、光源ユニット２２０の読取高さ方向Ｚへの変位にあたって光源ユニット２２０の姿勢の安定性に優れ、従って、光源ユニット２２０が揺れ動くことがない。これにより、光源ユニット２２０の揺れによる光源ユニット２２０における構成部品の取り付け性を損なうことが少ないため、精度の良い原稿画像の読み取り動作を維持することが可能となる。
【０２０３】
また、本実施の形態においては、当接部２３０に転動部材Ｒ１，Ｒ２，Ｒ３が設けられているので、光学ユニット２１０の副走査方向Ｙへの移動にあたり、傾斜面ｆ１及び平坦面ｆ２上で転動部材Ｒ１，Ｒ２，Ｒ３を介して当接部２３０を円滑に走行させることができる。
【０２０４】
また、本実施の形態においては、光学ユニット２１０を副走査方向Ｙに移動自在に支持するスライドレール５５０を備えているので、スライドレール５５０によって、光学ユニット２１０を副走査方向Ｙへ安定的にかつ確実に移動させることができる。しかも、光学ユニット２１０がスライドレール５５０上を摺動する摺動部材５６０を有しているので、この摺動部材５６０によって光学ユニット２１０を副走査方向Ｙへ円滑に移動させることができる。
【０２０５】
なお、本実施の形態に係る画像読取装置１００においては、縮小光学系タイプのものを適用したが、等倍光学系タイプのものを適用してもよい。
【符号の説明】
【０２０６】
１００      画像読取装置
２０５      ＣＣＤ（画像読取部の一例）
２０６      原稿読取ガラス（第１の透明板の一例）
２０６ａ    第１の読取面
２０７      原稿台ガラス（第２の透明板の一例）
２０７ａ    第２の読取面
２１０      光学ユニット（走査体の一例）
２２０      光源ユニット
２２１      光源
２２７      キャリッジベース
２３０      当接部
２３０ａ    一方の当接部
２３０ｂ    他方の当接部
２３１ａ    第１の当接部
２３２ａ    第２の当接部
４００      ガイド部材
４００ａ    一方のガイド部材
４００ｂ    他方のガイド部材
４０１ａ    第１のガイド部材
４０２ａ    第２のガイド部材
４１０      傾斜部（変位部の一例）
４２０      平坦部（対向部の一例）
５４０      スライドシャフト（支持部材の一例）
５４１      変位摺動部
５４１ａ    一方の変位摺動部
５４１ｂ    他方の変位摺動部
５４２      軸受部材
５４２ａ    一方の軸受部材
５４２ｂ    他方の軸受部材
５４２ｄ    長穴形状の貫通穴
５５０      スライドレール（レール部材の一例）
５６０      摺動部材
ｆ１        傾斜面
ｆ２        平坦面
Ｄ          画像形成装置
Ｇ          原稿
Ｌ１        第１の光路長
Ｌ２        第２の光路長
Ｓ１        第１の距離
Ｓ２        第２の距離
Ｒ１〜Ｒ３  第１から第３コロ（転動部材の一例）
Ｖ０        読取位置
Ｖ１        読取位置
Ｖ２        読取領域
Ｘ          主走査方向
Ｙ          副走査方向
Ｚ          読取高さ方向
【図１】
2011135186.tif 000003
【図２】
2011135186.tif 000004
【図３】
2011135186.tif 000005
【図４】
2011135186.tif 000006
【図５】
2011135186.tif 000007
【図６Ａ】
2011135186.tif 000008
【図６Ｂ】
2011135186.tif 000009
【図７】
2011135186.tif 000010
【図８】
2011135186.tif 000011
【図９】
2011135186.tif 000012